(57)【特許請求の範囲】
【請求項１】
使用者が把持可能なサイズで構成され，内部に飲料が収容される空間が形成され，上端に飲料が排出される排出口が設けられる胴部と，
端部が前記使用者の下唇の下側から顎までの一部に接した状態で前記胴部が回動することにより，前記排出口と口が離隔した状態で前記飲料を前記使用者の口に排出するために，端部から前記排出口に至る回動半径が前記使用者の口から端部が支持される支点までの距離に対応するように所定のサイズで前記胴部の外側に突出して設けられる突出段部とを含み，
前記使用者の下唇の下側から前記顎までの一部に転がり接触するように，前記突出段部の段部が弧状に形成されている，突出段部を備えた飲料容器。
【請求項２】
前記突出段部の外側に前記顎との接触面積が増加するように円周方向の一側が弧状に陥没した密着部が設けられることを特徴とする請求項１記載の突出段部を備えた飲料容器。
【請求項３】
前記突出段部の上段部は傾いて延びて前記胴部上段の上側に配設され，さらに前記突出段部の外側には前記使用者との接触密着力が増大するように摩擦手段が設けられることを特徴とする請求項１記載の突出段部を備えた飲料容器。
【請求項４】
前記突出段部は前記胴部の円周方向に沿って突出することを特徴とする請求項１記載の突出段部を備えた飲料容器。
【請求項５】
飲料容器の排出口周りに分離可能に設けられる分離式固定フレームと，
端部が前記使用者の下唇の下側から顎までの一部に接した状態で前記胴部が回動することにより，前記排出口と口が離隔した状態で前記飲料を前記使用者の口に排出するために，端部から前記排出口に至る回動半径が前記使用者の口から端部が支持される支点までの距離に対応するように所定のサイズで前記分離式固定フレームの外側に突出して設けられる突出段部とを含み，
前記使用者の下唇の下側から前記顎までの一部に転がり接触するように，前記突出段部の段部が弧状に形成されている飲料容器用分離式突出段部装置。
【請求項６】
前記分離式固定フレームは，前記飲料容器の排出口を覆うカバー部であることを特徴とする請求項５記載の飲料容器用分離式突出段部装置。
【請求項７】
前記分離式固定フレームは，
飲料容器のボトルネック部に嵌め込み式で着脱される円状の中空部が形成された部材であり，前記部材の円状の内周側の端部には前記ボトルネック部に形成された型合わせ溝に対応して嵌合するフックが突出して形成されていることを特徴とする請求項５記載の飲料容器用分離式突出段部装置。
【請求項８】
前記分離式固定フレームは，飲料容器のボトルネック部に介在してキャップと分離可能に連結されるバンド部に一体に形成され，
前記突出段部と前記分離式固定フレームの連結部は下方に折曲されて形成され，前記連結部の下部は分離して上方に折曲することができるように設けられ，
前記分離された下部の互いに対向する面の縁部に第１のフック固定手段が設けられ，
前記連結部が上方に曲がって互いに重なる前記突出段部と前記着脱式固定フレームの対向する面の縁部に第２のフック固定手段が設けられることを特徴とする請求項５記載の飲料容器用分離式突出段部装置。
【請求項９】
前記分離式固定フレームは前記飲料容器の上部を囲むリング部からなり，
前記突出段部は前記リング部の一側から延びてバンドされた外面に形成され，
前記外面の端部には，前記飲料容器の排出口の口先に嵌合可能な嵌合孔が形成されていることを特徴とする請求項５記載の飲料容器用分離式突出段部装置。
【発明の詳細な説明】
【技術分野】
【０００１】
本発明は，突出段部を備えた飲料容器に関し，より詳しくは，飲料摂取のための使用上の衛生性及び便宜性が向上した突出段部を備えた飲料容器に関する。
【背景技術】
【０００２】
一般的に，飲料容器は，使用者が摂取する水や飲料などの飲み物を収容する容器を言い，飲み物の収容容量によって様々な形状，寸法がある。特に，かかる飲料容器は使用者が外出時にも容易に使用できるように携帯可能なサイズで製作されている。
【０００３】
しかし，このような飲料容器はリサイクルされるか或いは飲料を何回かに分けて飲むことが普通なので，ボトルネック部又は飲料排出口が異物質により汚染されやすい。よって，このように汚染された排出口に人の口が接触することにより異物質を移して疾病を発症するという衛生上の問題がある。
【０００４】
さらに，使用者が排出口に唇を当てて飲料を飲む時，口腔内の唾液と飲料が混合してさらに容器内に逆流するが，使用者の唾液内に伝染性細菌があった場合は，他人の飲用時に病原菌に汚染されるという衛生上の深刻な問題がある。
【０００５】
よって，かかる非衛生的な状況を恐れて，図１に示すように，多くの人が１つの飲料容器１０を用いる場合，排出口と唇の間に間隔をおいて口に注ぐ形で飲料を飲むことがある。しかし，この場合，排出口と唇が離隔しているので両者を正確に対峙することができず，飲料が口の周りに流れ落ち，非衛生的である。
【０００６】
また，前記飲料容器１０の排出口が狭い場合は，ボトルネック部により飲料が容器内で脈動しながら排出されるので，排出した飲料が口腔内に過度に流入しすぎて咳がでてしまうことがある。さらに，一度に排出された飲料が口周りに流れ落ちて衣服が汚れるなどの飲料摂取上の不便さがある。
【発明の概要】
【発明が解決しようとする課題】
【０００７】
上記事情に鑑み，本発明は，使用者が飲料容器に唇を当てることなく安定して支持した状態で飲み物を飲むことにより，飲用時の衛生の確保及び便宜性を格段に向上させた突出段部を備えた飲料容器を提供することを目的とする。
【課題を解決するための手段】
【０００８】
上記目的を達成するため，本発明は，使用者が把持可能なサイズで構成され，内部に飲料が収容される空間が形成され，上端に飲料が排出される排出口が設けられる胴部と，端部が前記使用者の下唇の下側から顎までの一部に接した状態で前記胴部の下端が回動することにより，前記排出口と口が離隔した状態で前記飲料を前記使用者の口に排出するために，端部から前記排出口に至る回動半径が前記使用者の口から端部が支持される支点までの距離に対応するように所定のサイズで前記胴部の外側に突出して設けられる突出段部とを含み，前記使用者の下唇の下側から前記顎までの一部に転がり接触(rolling contact)するように，前記突出段部の段部が弧状に形成されている，突出段部を備えた飲料容器を提供する。
【０００９】
また，本発明は，飲料容器の排出口周りに分離可能に設けられる分離式固定フレームと，端部が前記使用者の下唇の下側から顎までの一部に接した状態で前記胴部を回動することにより，前記排出口と口が離隔した状態で前記飲料を前記使用者の口に排出するために，端部から前記排出口に至る回動半径が前記使用者の口から前記端部が支持されている支点までの距離に対応するように所定のサイズで前記分離式固定フレームの外側に突出して設けられる突出段部とを含み，前記使用者の下唇の下側から前記顎までの一部に転がり接触(rolling contact)するように，前記突出段部の段部が弧状に形成されている飲料容器用分離式突出段部装置を提供する。
【発明の効果】
【００１０】
本発明によれば，以下のような効果を得ることができる。
第一に，前記飲料容器の回動時に突出段部により支点が支持されることにより，使用者の唇を飲料容器の排出口に当てなくても安定して飲用することができる。これにより，使用者が何回かにかけて飲用した場合，以前に飲料容器についた唾液が変質して発生する細菌増殖及び悪臭を防止することができ，これらに対する殺菌消毒が不要となり，使用上の衛生面及び便利性が顕著に向上する。
【００１１】
第二に，多くの人が唾液をつけずに使用することができるため，多数の使い捨てカップに代替することができ，これにより資源節約に顕著に寄与することができる。
【００１２】
第三に，前記突出段部の外側に胴部の円周方向に沿って弧状に陥没した密着部を設けることにより，使用者の顎周りの皮膚に接触する飲料容器の面積が増加して安定して支持することができる。
【００１３】
第四に，前記突出段部の外側にパッドを備えることにより使用者との接触密着力が増大して，使用者の皮膚から飲料容器が滑ることなどを防止することができる。
【００１４】
第五に，前記突出段部を，一般的な飲料容器の標準サイズに互換性を有して取付可能な携帯用分離式突出段部装置に設けることができ，この場合，飲用時のみに簡単に取り付けて使用することができる。
【図面の簡単な説明】
【００１５】
【図１】従来の一般的な飲料容器の使用状態を示す側面図である。
【図２】本発明の第１実施形態による飲料容器を示す同図(a)は斜視図及び同図(b)は側面図である。
【図３】本発明の第１実施形態による飲料容器の使用状態を示す側面図である。
【図４】本発明の第２実施形態による飲料容器を示す同図(a)は斜視図及び同図(b)は側面図である。
【図５】本発明の第３実施形態による飲料容器を示す同図(a)は斜視図及び同図(b)は側面図である。
【図６】本発明の第４実施形態による飲料容器を示す同図(a)は斜視図及び同図(b)は側面図である。
【図７】本発明の第５実施形態による飲料容器を示す同図(a)は斜視図及び同図(b)は側面図である。
【図８】本発明の第６実施形態による飲料容器を示す側面図である。
【図９】本発明の第７実施形態による飲料容器を示す同図(a)は斜視図及び同図(b)は平面図である。
【図１０】本発明の各々の実施形態による飲料容器の使用状態〔同図(b)〕を従来の使用状態〔同図(a)〕と比較した例を示す図である。
【図１１】本発明の各々の実施形態による飲料容器の使用状態〔同図(b)〕を従来の使用状態〔同図(a)〕と比較した例を示す図である。
【図１２】本発明の各々の実施形態による飲料容器の使用状態〔同図(b)〕を従来の使用状態〔同図(a)〕と比較した例を示す図である。
【図１３】本発明の一実施形態による飲料容器用分離式突出段部装置の使用状態を示す側面図である。
【図１４】本発明の一実施形態による飲料容器用分離式突出段部装置の着脱構造を示す上面投影図である。
【図１５】本発明の他の実施形態による飲料容器用分離式突出段部装置を示す斜視図である。
【図１６】前記飲料容器用分離式突出段部装置の変形した実施形態を示す斜視図である。
【図１７】前記飲料容器用分離式突出段部装置の変形した実施形態を示す斜視図である。
【図１８】本発明の更なる実施形態による分離式突出段部装置と飲料容器の分解斜視図及びこれを取り付けた状態を示す斜視図である。
【図１９】本発明の更なる実施形態による分離式突出段部装置と飲料容器の分解斜視図及びこれを取り付けた状態を示す斜視図である。
【発明を実施するための形態】
【００１６】
以下，添付図面を参照しながら，本発明の最も好ましい実施形態をより詳しく説明する。
図２は，本発明の第１実施形態による飲料容器を示す図であり，同図（ａ）はその斜視図，同図（ｂ）はその側面図である。ここで，本実施形態は飲料容器のうち，飲料用の瓶(bottle type)に関する。
【００１７】
図２(ａ)及び図２(ｂ）に示すように，第１実施形態による飲料容器３００は，胴部３１０と突出段部３２０(chin rest protrusion)とからなる。図示していないが，胴部３１０の上端部に設けられたボトルネック部にキャップ(図示せず)を螺合することは周知慣用の構成であるので，ここでは説明を省略する。
【００１８】
詳しくは，前記胴部３１０は，使用者が把持可能なサイズで構成され，内部に飲料が収容される空間が形成され，上端に飲料が排出される排出口３１１が設けられている。
【００１９】
ここで，前記胴部３１０は，上部の外周が上方に行くにつれて狭くなるボトルネック部を有する円筒状又は多角形筒状に形成されることが好ましく，ＰＥＴ，ガラスなどの様々な材質からなることができる。
【００２０】
なお，前記排出口３１１に近接した前記胴部３１０上部の所定の位置においては，前記胴部３１０の外側に前記突出段部３２０が突出する。この際，前記突出段部３２０の端部は，前記使用者の下唇の下側から顎までの一部に接し安定して支持された状態で，前記排出口３１１が回動しながら前記使用者の口と離隔した状態で前記飲料が排出されるようにする。
【００２１】
ここで，前記突出段部３２０は，その上段部が使用者の下唇と顎の間の一部に支持されるように，前記排出口３１１の下側から突出して設けられる。かかる突出形状の形成は飲料容器３００の材質によって射出成型，鋳造成型などの様々な方法で行われるが，具現が容易であるため製作に有利である。前記突出段部３２０は使用者の顎骨周りに支持可能な所定の幅を有する。勿論，突出段部は胴部の円周方向に沿って鍔状に形成されることもできる。
【００２２】
なお，前記突出段部３２０の外側には，前記使用者との接触面積が増加するように前記胴部３１０の外周方向に沿って弧状に陥没した密着部３２１が設けられることが好ましい。すなわち，図示したように，前記密着部３２１は，前記突出段部３２０の所定の幅を有する外側に使用者の顎骨周りの屈曲に合わせて弧形状の溝構造が形成されるので，使用者の皮膚に接する飲料容器３００の面積を増加することができる。これにより，飲料容器３００が使用者に安定して支持されて飲料を漏らさずに飲むことができる。
【００２３】
また，前記突出段部３２０の下側には，前記突出段部３２０内に流入する飲料の脈動流動による排出が緩和するように，前記胴部３１０の内側に陥没した陥没部３２２が設けられることが好ましい。すなわち，前記陥没部３２２は前記排出口３１１側に一時に流入する飲料の量を緩和する役割を果たし，飲料の脈動流動による使用者の飲用上の不快さを解消することができる。
【００２４】
図３は，本発明の第１実施形態による飲料容器を用いて飲用する状態を示す側面図である。
【００２５】
図３に示すように，前記突出段部３２０の端部は，前記使用者の下唇の下側から顎までの一部に接触して支持された状態で前記胴部３１０の回動のための回動軸或いは回動支点になる。したがって，使用者は端部を回動可能に支持された状態で前記胴部を回動することにより，口と前記排出口が離隔した状態で飲料を口に注ぐことができる。
【００２６】
このために，前記突出段部３２０の端部から前記排出口３１１の最も近接した縁部に至る回動半径Ｒと，前記使用者の開けた口の略中央部から前記突出段部の端部が支持される支点までの距離Ｌが実質的に一致するように対応する条件で，前記突出段部３２０が所定のサイズで前記胴部３１０の外側に突出する。これにより，前記突出段部３２０の端部から前記排出口３１１に至る回動半径が，前記胴部の回動時に前記使用者の開けた口と一定間隔離隔するように維持されることが好ましい。このとき，前記突出段部３２０の端部から最も近接した前記排出口３１１の縁部は，飲料が安定して流れるように外側に尖って突き出ているか，ノッチ型に切り欠かれた形状に形成されることが好ましい。
【００２７】
また，前記突出段部３２０は一般的なペットボトル型の容器である瓶の胴部のボトルネック部の下段部から突出することが好ましい。すなわち，前記突出段部３２０の端部は，飲用が容易になるように飲料容器３００を安定して支持する支持軸になるとともに，前記胴部３１０の上段部，すなわち前記排出口３１１の周りが使用者の口に接しないように回動半径が維持される回動軸になる。このとき，前記突出段部３２０の端部は前記使用者の下唇と顎の間の一部に柔らかく転がり接触するように弧形状に形成されることが好ましい。
【００２８】
したがって，突出段部３２０は使用者の唇が飲料容器３００の排出口３１１周りに接しないようにして，安定的でかつ衛生的な飲料摂取を可能にする。
【００２９】
図４は，本発明の第２実施形態による飲料容器を示す図であり，（ａ）はその斜視図，（ｂ）はその側面図である。ここで，本実施形態は飲料容器のうち，カップに関する。
【００３０】
図４(ａ)及び図４(ｂ）に示すように，第２実施形態による飲料容器１００は，胴部１１０と突出段部１２０とからなる。詳しくは，前記胴部１１０は使用者が把持可能なサイズで構成され，前記胴部１１０の内部に飲料が収容される空間が形成され，上端に飲料が排出される排出口１１１が設けられる。前記排出口１１１は，カップ１００では上端の開口部を言い，その他の飲料瓶(図２の３００を参照)，蓋付きボトルないしカップ(図５の４００を参照)などの容器では上端の孔を言う。
【００３１】
ここで，前記胴部１１０は一側が開口した円筒状又は多角形筒状など形状を制限されず，形成することができ，又，金属，紙，合成樹脂，合金など材料の制限なく採用することができ，その形状及び材質に限定がない。また，胴部の外面につまみ(図示せず)を設けることもできる。さらに，前記胴部１１０の上端には飲料の排出を容易にするために，前記排出口１１１の外縁部の一側が尖って突き出た排出案内部１１２が形成されることが好ましい。これは，使用者の接触部位に関する案内を同時に行うことができる。また，前記胴部１１０を，使用者が把持可能なサイズで構成するということは，使用者が片手又は両手でつかむことができる形状・寸法を言う。
【００３２】
なお，前記排出口１１１に近接した前記胴部１１０上部の所定の位置においては，前記胴部１１０の外側に弧形状の突出段部１２０が突出する。前記突出段部１２０が前記使用者の下唇の下側から顎までの一部に接して支持された状態で，前記排出口１１１が回動して前記使用者の口と離隔した状態で前記飲料が排出されることができる。
【００３３】
ここで，前記突出段部１２０は，その上段部が使用者の下唇と顎の間の一部に支持されるように，前記排出口１１１の下側から突出して設けられる。かかる突出形状の形成は飲料容器１００の材質によって射出成型，鋳造成型などの様々な方法で行われるが，成形が容易であるため製作に有利である。
【００３４】
また，前記突出段部１２０が使用者の下唇の下側から顎までの一部に接して支持されるということは，突出段部１２０が使用者の唇に接しないように使用者の下唇の下側から顎までのいずれかに接して支持されることは勿論，使用者の顎を突出段部１２０に支えることも含む。また，前記排出口１１１が前記使用者の口と離隔した状態で前記飲料が排出されるということは，前記胴部１１０が飲料摂取のために前記突出段部１２０に支持されて回動するとき，排出口１１１が使用者の口に接しないことを意味する。
【００３５】
また，前記突出段部１２０は前記胴部１１０の回動のための回動軸になり，その端部から前記排出口１１１にいたる回動半径が前記胴部の回動により前記使用者の口と離隔するように一定間隔に維持されることが好ましい。このため，前記突出段部１２０は，前記回動半径が前記使用者の口との間隔を維持するようにする最短の長さで突出することが好ましい。かかる構成は実質的に顔の大きさが異なる人たちにおいても，下唇から顎の特定の部分(例えば，凹部)までの距離はほぼ同一であることに基づくもので，これにより，多くの人に共通に使用することができる。また，前記突出段部１２０と口の間隔は，その長さと角度において人間工学的な設計を反映することが好ましい。
【００３６】
すなわち，前記突出段部１２０は，飲用が容易になるように飲料容器１００を安定して支持する支持軸になると同時に，前記胴部１１０の上端部，すなわち前記排出口１１１の周りが使用者の口に接しないように回動半径を維持する回動軸になる。したがって，突出段部１２０は使用者の口が飲料容器１００の排出口１１１の周りに接しないようし，かつ安定的な飲料摂取を可能にする。
【００３７】
これにより，使用者が飲料を飲むとき，使用者の口が飲料容器１００に接しないため，使用者が何回かにかけて飲用する場合，飲料容器についた唾液が変質して発生する細菌増殖及び悪臭を防止することができる。よって，これらに対する殺菌消毒が不要であり，使用上の衛生面で顕著に向上する。また，多くの人が口を接触せずに一緒に使用することができるため，多くの人が交互に飲用しても不快感や拒否感なく満足感を与えることができる。
【００３８】
なお，前記突出段部１２０の外側には，前記使用者との接触面積が増加するように前記胴部１１０の外周方向に沿って弧状に陥没した密着部１２１が設けられることが好ましい。すなわち，図示したように，前記密着部１２１は，前記突出段部１２０の所定の幅を有する外側に使用者の顎骨周りの屈曲に合わせて弧形状の凹部に形成されるので，使用者の皮膚に接する飲料容器１００の面積を大きくすることができる。これにより，飲料容器１００が使用者に安定して支持されて飲料を漏らさずに飲むことができる。
【００３９】
また，前記突出段部１２０の下側には，前記突出段部１２０の内側に流入する飲料が自然かつ安定的に排出されるように，前記胴部１１０の内側に陥没した陥没部１２２が設けられることが好ましい。
【００４０】
すなわち，前記陥没部１２２は前記排出口１１１側に一時に流入する飲料の量を調節する役割を果たし，飲料の過多排出による飲用上の不便さを解消することができる。勿論，突出段部は陥没部を形成せず，胴部の長手方向に緩やかに形成することもできる。
【００４１】
また，図５は本発明の第３実施形態による飲料容器を示す図であり，（ａ）はその斜視図，（ｂ）はその側面図である。ここで，本実施形態は上側にカバー部が設けられる蓋付きボトルないしカップに関する。
【００４２】
図５(ａ)及び図５(ｂ）に示すように，第３実施形態による飲料容器４００は，胴部４１０とカバー部４３０と突出段部４２０とからなる。
【００４３】
詳しくは，前記胴部４１０は使用者が把持可能なサイズで構成され，内部に飲料が収容される空間が形成され，上端に飲料が排出される排出口４３１が設けられる。ここで，前記胴部４１０は上側には，飲料収容のための流入が容易になるように前記胴部４１０の上端部に選択的に取り付けられるカバー部４３０が備えられる。また，前記カバー部４３０に排出口４３１が形成される。なお，前記胴部４１０及びその上部に対応するカバー部４３０の形状及び材質には限定がない。
【００４４】
なお，突出段部４２０は，前記排出口４３１に近接した前記胴部４１０上部の所定の位置から前記胴部４１０の外側に弧形状に突出して，前記排出口４３１と前記使用者の口が離隔した状態で前記飲料が排出されるようにし，前記使用者の下唇の下側から顎までの一部に接して支持されるように所定のサイズに設けられる。
【００４５】
ここで，前記突出段部４２０は，その上段部が使用者の下唇と顎の間の一部に支持されるように前記排出口４３１の下側に配置されて突出している。かかる突出形状の形成は飲料容器４００の材質によって射出成型，鋳造成型などの様々な方法で行われるが，具現が容易であるため製作に有利である。前記突出段部４２０は使用者の顎骨周りに支持され得る所定の幅を有する。勿論，突出段部は胴部の円周方向全体にかけて鍔状に形成されることもできる。
【００４６】
また，前記突出段部４２０は前記胴部４１０の回動のための回動軸になり，その端部から前記排出口４３１にいたる回動半径が前記胴部４１０の回動により前記使用者の口と離隔するように一定間隔に維持されることが好ましい。このため，前記突出段部４２０は，前記回動半径が前記使用者の口と排出口４３１の間の間隔を維持するようにする最短の長さで突出することが好ましい。
【００４７】
すなわち，前記突出段部４２０は，飲用を容易にするために飲料容器４００を安定して支持する支持軸になるとともに，前記胴部４１０の上端部，すなわち前記排出口４３１の周りが使用者の口に接しないように回動半径を維持する回動軸になる。
【００４８】
したがって，突出段部４２０は，使用者の口が飲料容器４００の排出口４３１の周りに接しないようにして，安定的な飲料摂取を可能にする。
【００４９】
これにより，飲用時に飲料容器４００に使用者の口が接しないため衛生的な飲用が可能であり，使用者の下唇と顎の間の一部に突出段部４２０を支えて飲料を漏らさずに安定的に飲むことができる。よって，使用上の衛生性及び便宜性が顕著に向上する。
【００５０】
なお，前記突出段部４２０の外側には，前記使用者との接触面積が増加するように前記胴部４１０の外周方向に沿って弧状に陥没した密着部４２１が設けられることが好ましい。
【００５１】
すなわち，図示したように，前記密着部４２１は，前記突出段部４２０の所定の幅を有する外側に使用者の顎骨周りの屈曲に合わせて溝構造で形成されることにより，使用者の皮膚に接触する飲料容器４００の面積を増加することができる。これにより，飲料容器４００が使用者に安定して支持されて，飲料を漏らさずに飲むことができる。
【００５２】
勿論，本実施形態において，カバー部を分離し，胴部の上端に形成された開口部を介して飲用することもでき，この場合にも，突出段部は有用に使用することができる。また，図示したように，突出段部４２０の下側は胴部４１０の長さ方向に沿って緩やかに傾くことは勿論，飲料排出を緩和する陥没部(図２の３２２を参照)を形成することもできる。
【００５３】
また，図６は本発明の第４実施形態による飲料容器を示す図であり，（ａ）はその斜視図，（ｂ）はその側面図である。本実施形態では突出段部の配置を除く基本的な構成が上述した第３実施形態と同一であるので，具体的な説明は省略する。
【００５４】
本実施形態の特徴は，カバー部５３０の一側に突出段部を設けることである。
【００５５】
すなわち，図６に示すように，本実施形態の飲料容器５００は，胴部５１０の上部に開口部(図示せず)が形成され，前記開口部(図示せず)を覆うカバー部５３０に排出口５３１が形成され，前記カバー部５３０の外周に突出段部５２０が配設されることが好ましい。
【００５６】
したがって，突出段部５２０はカバー部５３０を有する飲料容器５００のカバー部５３０に設けられる。これにより，突出段部５２０が形成されたカバー部５３０を製作して，既存のカバー水瓶に適用することもできるので，製作費用が節減され，本発明を効果的に活用することができる。
【００５７】
また，図７は本発明の第５実施形態による飲料容器を示す図であり，（ａ）はその斜視図，（ｂ）はその側面図である。本実施形態では突出段部を除く基本的な構成が上述した第４実施形態と同一であるので，具体的な説明は省略する。
【００５８】
本実施形態の特徴は，飲用時に突出段部の上面が使用者の皮膚表面に接して発生し得る滑りを防止するために，密着力が増加する形状に変形されたことにある。
【００５９】
すなわち，図７に示すように，突出段部７２０の上面にカバー部７３０の半径方向に沿って突起又は溝を繰り返して形成した皺形状の変形部７７０が設けられることが好ましい。前記変形部７７０は，本発明の各々の実施形態の突出段部に適用することができる。前記変形部７７０は皺形状以外にもエンボシング(embossing)形状など他の形状に構成することができる。また，図示したように，胴部７１０の外周面においては，長手方向に沿って胴部７１０の内部に収容された飲料の容量が確認可能な目盛り又は収量表示が形成されることが好ましい。さらに，前記突出段部７２０の外側には，上述した実施形態のように，弧状に陥没した密着部(図６の符号５２１を参照)が形成されることが好ましい。
【００６０】
したがって，使用者が飲用のために飲料容器７００を回動するに伴って使用者の皮膚に接触支持される突出段部７２０が飲料容器７００の回動方向に滑ることを形状の変形により防止することができる。
【００６１】
また，図８は本発明の第６実施形態による飲料容器を示す側面図である。本実施形態の基本的な構成は上述した第２実施形態と同一であるので，具体的な説明は省略する。
【００６２】
本実施形態の特徴は，突出段部と使用者の皮膚との接触性が向上するように，さらに接触補助部材であるパッドが備えられたことにある。すなわち，図８に示すように，本実施形態による飲料容器６００では，突出段部６２０の外側に前記使用者との接触密着力が増大するようにさらにパッド６５０が備えられることが好ましい。前記パッド６５０は使用者の皮膚と容器表面との密着性向上のための如何なる材質であってもよい。
【００６３】
したがって，飲料容器６００の実質的な接触部と使用者との接触密着力が増大し，飲料容器６００が使用者の皮膚から滑ることなどを防止することができる。これにより，使用者はより便利に飲むことができる。かかるパッド６５０の構成は本発明の全ての実施形態に適用することができる。
【００６４】
上記第５，第６実施形態のように，前記突出段部６２０，７２０の外側に前記使用者との接触密着力が増大するようにさらに摩擦手段が備えられることが好ましい。前記摩擦手段は上記変形部７７０，パッド６５０を含む。
【００６５】
また，図９は本発明の第７実施形態による飲料容器を示す図であり，（ａ）はその斜視図，（ｂ）はその平面図である。本実施形態の基本的な構成は上述した第１実施形態と同一であるので，同一部分についての説明は省略する。
【００６６】
本実施形態の特徴は，使用上の便宜性を増大するために，突出段部９２０が胴部９１０の円周方向全体にかけて形成されたことにある。
【００６７】
すなわち，図９(ａ)及び図９(ｂ)に示すように，突出段部９２０が胴部９１０の円周方向に沿って突出していることが好ましい。ここで，前記突出段部９２０は円形又は多角形の鍔状に形成されることが好ましい。また，胴部９１０の円周方向に沿って同一間隔で陥没した密着部９２１と，前記突出段部９２０の上面に前記胴部９１０の半径方向に沿って突起又は溝が繰り返して形成された皺形状の変形部９７０とが形成されることが好ましい。すなわち，前記密着部，陥没部，パッド及び変形部の構成は，本発明の各々の実施形態に少なくとも１つ以上が重複して適用されることができる。
【００６８】
したがって，前記飲料容器９００では，突出段部９２０が排出口９１１の近くに使用者の口に当てない回動半径を維持する回動軸になるように突出する。前記突出段部９２０が胴部９１０の円周方向に沿って鍔状に突出することにより，使用者は飲料容器９００の接触方向にかかわらず，突出段部９２０を使用者の下唇と顎の間の一部に接して支持し，胴部９１０を回動させて自然に飲むことができるため便利である。
【００６９】
なお，図示していないが，胴部の飲用のための回動距離を短縮するために，突出段部が上側に傾いて延びるように突出して突出段部の上段部が胴部上段の上側に配設されることが好ましい。かかる構成は上述した全ての実施形態に適用することができる。
【００７０】
以下，添付図面を参照しながら，本発明の各々の実施形態による使用状態及び作用効果を詳しく説明する。
【００７１】
図１０は本発明の第１実施形態による飲料容器の使用状態と従来の使用状態を比べた例示図，図１１は本発明の第２実施形態による飲料容器の使用状態と従来の使用状態を比べた例示図，また図１２は本発明の第３実施形態による飲料容器の使用状態と従来の使用状態を比べた例示図である。図１０ないし図１２において，(ａ)は従来の飲料容器の飲用状態を，(ｂ)は本発明による飲料容器の飲用状態を示している。
【００７２】
図２及び図１０を参照すれば，本発明による飲料瓶３００を使用すると，使用者が突出段部３２０を使用者の下唇と顎の間の一部に支持した後，飲料瓶３００を持ち上げて飲料瓶３００が回動しながら飲み物が口腔内に流入される。
【００７３】
この時，突出段部３２０が，飲料瓶３００の回動のための回動軸になり，かつ飲料瓶３００の上端部，すなわち飲料瓶の排出口３１１の周りが飲料瓶３００の回動により口に接しないように最短の長さで突出する。したがって，使用者は飲料瓶３００を口に接せず安定して飲むことができる。また，突出段部３２０の下側に陥没部３２２が形成されて，飲料の脈動排出を一時緩和して飲用上の不便さを解消することができる。
【００７４】
なお，図４及び図１１に示したように，従来のカップ１の場合，飲用時にカップ１に口が接するためカップ１が汚染していたり，多くの使用者の使用により感染していたりして非衛生的な飲用が行われていた。したがって，かかる非衛生的な飲用を防止するために使い捨てカップを使用するが，この場合，莫大な資源浪費と環境汚染の問題がある。
【００７５】
反面，本発明によるカップ１００を使用すると，使用者が突出段部１２０を使用者の下唇と顎の間の一部に支持した後，カップ１００を持ち上げてカップ１００が回動しながら飲み物が口腔内に流入される。この時，突出段部１２０が，カップ１００の回動のための回動軸になり，かつカップ１００の上端部，すなわちカップ１００の排出口１１１の周りがカップ１００の回動により口に接しないように最短の長さで突出する。したがって，使用者はカップ１００を口に接せず安定して飲むことができるため，使用上の衛生性及び便宜性が顕著に向上する。さらに，多くの人が衛生的に使用することができるため，使い捨てカップの使用による莫大な資源浪費と環境汚染を防止できる。
【００７６】
また，図１２は飲料容器のうちカバー部を有するカバー水瓶を示す図であり，図１２(ａ)は従来のカバー水瓶２０を用いる状態を，図１２(ｂ)は本発明によるカバー水瓶４００を用いる状態を示している。
【００７７】
図５及び図１２に示したように，従来のカバー水瓶２０では，飲用時にカバー水瓶２０に口が接するため非衛生的な飲用が行われていた。また，飲料の脈動排出による飲用時の不便さもあった。
【００７８】
反面，本発明によるカバー水瓶４００を使用すると，使用者が突出段部４２０を使用者の下唇と顎の間の一部に支持した後，カバー水瓶４００を持ち上げてカバー水瓶４００が回動しながら飲み物が口腔内に流入される。この時，突出段部４２０が，カバー水瓶４００の回動のための回動軸になり，かつカバー水瓶４００の上端部，すなわちカバー水瓶４００の排出口４３１の周りがカバー水瓶４００の回動により口に接しないように最短の長さで突出する。したがって，使用者はカバー水瓶４００を口に接せず安定して飲むことができる。また，突出段部がカバー部(図６の５３０を参照)に設けられるため，既存のカバー水瓶に効果的に適用することができる。
【００７９】
一方，前記突出段部が飲料容器に着脱可能な別途のフレームに設けられることもできる。以下，飲料容器用分離式突出段部装置(separable chin rest protrusion apparatus)について詳しく説明する。
【００８０】
図１３は本発明が適用された飲料容器用分離式突出段部装置の一実施形態を示す側面図，図１４は本発明の一実施形態による飲料容器用分離式突出段部装置の着脱構造を示す上面投影図である。本実施形態が適用される飲料容器は飲料瓶(bottle type)に関する。
【００８１】
図１３及び図１４に示したように，前記飲料容器用分離式突出段部装置３０は分離式固定フレーム３３と突出段部３１とからなる。ここで，飲料容器１０は使用者がグリップ可能なサイズで構成され，内部に飲料が収容される空間が形成されている。また，前記分離式突出段部装置３０は飲料容器１０の排出口１１の周りに着脱可能に備えられる。
【００８２】
前記飲料容器１０は上部の外周が上方に行くにつれて狭くなるボトルネック部を有する円筒状又は多角形瓶(bottle)からなることが好ましく，ＰＥＴ，ガラスなどの様々な材質で構成することができる。
【００８３】
なお，前記排出口１１に近接したボトルネック部に嵌合した前記分離式突出段部装置３０の突出段部３１が外側に突出する。この際，前記突出段部３１の端部は前記使用者の下唇の下側から顎までの一部に接して安定して支持された状態で，前記排出口１１が回動しながら前記使用者の口と離隔した状態で前記飲料が排出されるようにする。
【００８４】
ここで，前記突出段部３１は，その上段部が使用者の下唇と顎の間の一部に支持されるように前記排出口１１の下側に配置されて突出する。また，前記突出段部３１は使用者の顎骨周りに支持可能な所定の幅を有する。
【００８５】
勿論，前記分離式突出段部装置は前記飲料容器の排出口に一体に形成することができるが，本発明によれば，既存の飲料容器に着脱自在に取り付けることもできるという長所もある。
【００８６】
図１３に示すように，前記突出段部３１の端部は，前記使用者の下唇から顎までの一部に接触して支持された状態で前記胴部１０の回動のための回動軸又は回動支持点になる。したがって，使用者は端部が回動支持された状態で前記胴部を回動することにより，前記排出口と使用者の口が離隔した状態で前記飲料を排出することができる。
【００８７】
このために，前記突出段部３１の端部から前記排出口１１の最も近接した鍔に至る回動半径Ｒと，前記使用者の開けた口の略中央部から前記突出段部の端部が支持される支点までの距離Ｌが実質的に一致するように対応する条件で，前記突出段部３１が所定のサイズで前記胴部１０の外側に突出する。これにより，前記突出段部３１の端部から前記排出口１１に至る回動半径が，前記胴部の回動時に前記使用者の開けた口と一定間隔離隔するように維持されることが好ましい。このとき，前記突出段部３１の端部から前記排出口１１の最も近接した鍔は，飲料が安定して流れるように外側に尖って突き出ているか，ノッチ型に切り欠かれた形状に形成されることができる。
【００８８】
また，前記突出段部３１の端部は，飲用が容易になるように飲料容器１０を安定して支持する支持軸になるとともに，前記排出口１１の周りが使用者の口に接しないように回動半径が維持される回動軸になる。このとき，前記突出段部３１の端部は前記使用者の下唇と顎の間の一部に柔らかく転がり接触するように弧状の曲線に形成されることが好ましい。
【００８９】
したがって，突出段部３１は，使用者の唇が飲料容器１０の排出口１１周りに接しないようにすることにより，安定的かつ衛生的な飲料摂取が可能である。
【００９０】
図１３及び図１４に示すように，前記分離式固定フレーム３３は，ガラス又はＰＥＴなどの材質からなる一般的な飲料容器１０のボトルネック部に嵌め込み式で着脱される円状の中空部が形成された部材で形成されることが好ましい。
【００９１】
ここで，前記部材の円状中空部内周の端部には，前記ボトルネック部に形成された型合わせ溝１１ａに各々対応して嵌合されるフック３３ａが突設形成されている。したがって，前記分離式固定フレーム３３は弾性的に広がりながら，前記ボトルネック部への嵌合時，前記フック３３ａと型合わせ溝１１ａとの嵌合により安定して固定された状態を維持することができる。また，前記部材の内周の中央部に突設形成した突起３３ｂは，前記ボトルネック部に形成された溝１１ｂに挿入されて固定状態を補強することとなり，好ましい。
【００９２】
なお，図１５は本発明が適用された飲料容器用分離式突出段部装置の他の実施形態を示す斜視図であり，図１６及び図１７は前記飲料容器用分離式突出段部装置の変形した実施形態を示す斜視図である。
【００９３】
図１５に示すように，本実施形態による分離式突出段部装置３５は，ボトル型飲料容器１０の支持リング１１ｄとスカート１１ｃの間に介在してキャップ(図示せず)と分離可能に連結されるバンド部に一体に形成することができる。
【００９４】
図１６及び図１７に示すように，前記分離式固定フレーム３９の突出段部３６及び連結部３８は下方に折曲されて形成され，前記連結部３８の下部は分離して上方に折曲することができる。すなわち，前記連結部３８の下部は分離され，上部は薄く連結されることにより容易に折曲することができる。
【００９５】
ここで，図１７に示すように，前記分離された下部の互いに対向する面には第１フック固定手段４１が設けられ，前記突出段部３６が広がっている場合(図１６を参照)，前記第１フック固定手段により広がった状態が維持される。
【００９６】
反面，前記突出段部３６が上方に曲がって互いに重なる前記突出段部３６と前記分離式固定フレーム３９の対向する面には第２フック固定手段４２が設けられ，前記突出段部３６が上側に折られている場合(図１７を参照)，前記第２フック固定手段により折られた状態が維持される。
【００９７】
この際，前記各々のフック固定手段４１，４２は弾性突起と前記弾性突起が挿入して固定される固定溝とを含んでなる。
【００９８】
また，図１８及び図１９は，本発明の更なる実施形態による飲料容器用分離式突出段部装置を示した分解状態の斜視図及び取付状態の斜視図である。
【００９９】
図１８及び図１９に示したように，本実施形態による飲料容器用分離式突出段部装置は，飲料容器のカバー部に分離可能に取り付けられる。
【０１００】
詳しくは，本実施形態による分離式固定フレーム６０は，前記飲料容器５１の上部を囲むように取り付けられるリング部６１を含んでなる。ここで，前記リング部６１の一側から延びて曲がることにより突出する部分が突出段部６２を形成する。したがって，合成樹脂材質で曲がって弾性を有する前記突出段部６２は，使用者の顎と柔らかく接触することができる。
【０１０１】
また，前記突出段部６２の中央部には，使用者の顎のプロファイルに対応するように陥没した密着部が形成される。したがって，前記突出段部６２の陥没した密着部に顎が型合わせして安定的な支持状態が維持される。
【０１０２】
さらに，前記分離式固定フレーム６０から延びた端部には嵌合孔が形成され，前記嵌合孔の縁部６３は前記飲料容器５１のカバー部５２に突出形成された排出口５３の外周に嵌合して固定される。これにより，折曲されて形成された前記突出段部６２の形状が安定して維持される。
【０１０３】
以上のように，本発明による飲料容器は上述した各々の実施形態に限定されず，使用者が片手又は両手で把持可能なサイズの全ての容器に適用することができるため，ＰＥＴ瓶，缶，紙パックなどに適用できる。また，本発明の請求範囲から外れることなく，上記実施形態に多様な変更を加えることが可能であることが当業者にとって明らかであり，そのような変更を加えた形態も本発明の技術的範囲に含まれ得ることが請求範囲の記載から明らかである。
【産業上の利用可能性】
【０１０４】
本発明は衛生性及び使用上の便宜性が格段に改善した飲料容器を提供する。
【図１】
0005476472.tif 000002
【図２（ａ）】
0005476472.tif 000003
【図２（ｂ）】
0005476472.tif 000004
【図３】
0005476472.tif 000005
【図４（ａ）】
0005476472.tif 000006
【図４（ｂ）】
0005476472.tif 000007
【図５（ａ）】
0005476472.tif 000008
【図５（ｂ）】
0005476472.tif 000009
【図６（ａ）】
0005476472.tif 000010
【図６（ｂ）】
0005476472.tif 000011
【図７（ａ）】
0005476472.tif 000012
【図７（ｂ）】
0005476472.tif 000013
【図８】
0005476472.tif 000014
【図９（ａ）】
0005476472.tif 000015
【図９（ｂ）】
0005476472.tif 000016
【図１０（ａ）】
0005476472.tif 000017
【図１０（ｂ）】
0005476472.tif 000018
【図１１（ａ）】
0005476472.tif 000019
【図１１（ｂ）】
0005476472.tif 000020
【図１２（ａ）】
0005476472.tif 000021
【図１２（ｂ）】
0005476472.tif 000022
【図１３】
0005476472.tif 000023
【図１４】
0005476472.tif 000024
【図１５】
0005476472.tif 000025
【図１６】
0005476472.tif 000026
【図１７】
0005476472.tif 000027
【図１８】
0005476472.tif 000028
【図１９】
0005476472.tif 000029